(57)【特許請求の範囲】
【請求項１】
印刷機のインキ供給装置におけるインキ元ローラにインキを供給するインキ溜を設定位置に固定するインキ溜固定装置において、上記インキ元ローラとともにインキ溜を形成する両端に側板を設けたインキキー列を、フレームに対して回動するように支持された支持台に支持させ、該支持台を回動させて、上記インキキー列を上記インキ元ローラに接して上記インキ溜を形成する固定位置と、上記インキ元ローラから離れた位置とに移動可能に構成し、上記フレーム側に一端を軸支された固定用軸を上記支持台に設け、上記固定用軸に弾発手段および、この弾発手段の圧縮量を調整する調整手段を設け、上記弾発手段の弾発力によって上記支持台をフレーム側に固定し、上記弾発手段の弾発力を解除させて上記支持台の移動を可能にする操作手段を設け、上記操作手段として、上記弾発手段によって支持台側の固定面に接触子を押し付けて上記支持台を固定する位置と、上記弾発手段を解放させて上記接触子を固定面から解除する位置に切り替える切換え装置を設けたことを特徴とするインキ溜固定装置。
【請求項２】
上記支持台の両側にアームを設け、このアームの先端部をフレームに固定された梁に回動可能に支持させ、上記支持台の下面を梁の上面に当てて位置決めするとともに、上記支持台を固定する上記固定用軸の一端を上記梁に軸支し、上記固定用軸のもう一方の端部にねじ部を設け、該ねじ部に螺合した固定ナットの位置を調節して上記ナットと上記切換え装置との間に介在した弾発手段の圧縮量を調整するようにしたことを特徴とする請求項１に記載のインキ溜固定装置。
【請求項３】
上記切換え装置としてレバーに上記固定用軸を挿通して設け、該レバーに接触子としてのころを設け、該ころを上記弾発手段によって上記支持台に設けられた座板の曲面凹部に押圧して上記支持台を固定したことを特徴とする請求項２に記載のインキ溜固定装置。
【発明の詳細な説明】
【０００１】
【発明の属する技術分野】
本発明は、印刷機において、インキ供給に適用されるインキ溜固定装置に関する。
【０００２】
【従来の技術】
図９ないし図１１に基いて従来のインキ溜の固定装置を説明する。
１は、インキを供給するインキ元ローラ、３はインキ元ローラ１との隙間を調節することにより供給するインキの厚みを調節するインキキーで、インキを供給する幅に複数個設けている。１１は側板で、複数のインキキー３列の両端に接し、一端をインキ元ローラ１に最小隙間で接するように配設し、インキキー３群とインキ元ローラ１とでインキをためるインキ溜２を構成する。
【０００３】
４は上記インキキー３を支持する為の支持台で、この支持台４の両側端にはアーム１２が設けられており、このアーム１２の先端部が横梁５から支持されたピン７により支持されている。支持台４はピン７を中心に回動できるように構成されており、支持台４の当たり面１３は横梁５の当たり面にあたって位置が決められている。支持台４のアーム１２の側部には座板１４が固設されており、この座板１４には板面にＵ字形溝１８が形成されている。この座板１４のＵ字形溝１８には、横梁５にピン１５で支持されたねじ軸１６が嵌まり合う。ねじ軸１６はピン１５を中心に回動できる。ねじ軸１６にはナット１７が螺合しており、ナット１７はハンドル部１９及び六角部２０を有している。ねじ軸１６にナット１７をねじ込むとナット１７の下面が支持台４に固設の座板１４に当たり、支持台４を横梁５に押し付けるように作用する。この作用により支持台４の当たり面１３が横梁５に押し付けられる。
【０００４】
インキ溜２に溜めたインキは、印刷で使用した後、インキをへら等で掻き出し、インキ溜２は清掃される。この清掃時、ナット１７を緩め、ねじ軸を図９の矢印方向に移動させた後、支持台４をピン７を中心に図９の鎖線で示した状態まで開く。この状態でインキで汚れているインキキー３やインキ元ローラ１、側板１１を清掃する。清掃が終わると支持台４を元に戻し、ねじ軸１６を座板１４のＵ字溝１８に入れ、ナット１７を締めて支持台４の当たり面１３を横梁５に当てて正確な位置に設定する。このように印刷後又は印刷前に支持台４を回動させるとき、ナット１７を締めたり緩めたりするが、締める時は支持台４の位置を正確に設定するためにナット１７の六角部２０にスパナ等の工具を使用して締める。また、緩める時は工具で少し緩めた後、早くナット１７を緩めるためハンドル部１９を手で回すようにしている。
【０００５】
【発明が解決しようとする課題】
しかしながら、多色印刷機には色数だけこの作業があり、近年は印刷の量が少ないものが増えてきたので色交換等による清掃作業の回数が増えるとともに、清掃作業等の準備時間を短縮しないと利益が出にくい状態になっている。
また、支持台４の固定を工具で行うので、締め付け力がばらつき、これにより、インキ溜２の固定される位置が微妙に移動し、インキキー３とインキ元ローラ１の隙間が微妙に移動する。すると、数値制御しているインキキー３の開度が微妙に狂い、印刷色調変化をきたし品質安定性が悪くなるなどの課題があった。
【０００６】
本発明は、上記課題を解決するため、インキ溜清掃に際し、インキ溜を容易に固定、開放すると共に固定力の安定したインキ溜固定装置を提供することを目的とする。
【０００７】
【課題を解決するための手段】
本発明は、上記課題を解決するため、印刷機のインキ供給装置におけるインキ元ローラにインキを供給するインキ溜を設定位置に固定するインキ溜固定装置において、上記インキ元ローラとともにインキ溜を形成する両端に側板を設けたインキキー列を、フレームに対して回動するように支持された支持台に支持させ、該支持台を回動させて、上記インキキー列を上記インキ元ローラに接して上記インキ溜を形成する固定位置と、上記インキ元ローラから離れた位置とに移動可能に構成し、上記フレーム側に一端を軸支された固定用軸を上記支持台に設け、上記固定用軸に弾発手段および、この弾発手段の圧縮量を調整する調整手段を設け、上記弾発手段の弾発力によって上記支持台をフレーム側に固定し、上記弾発手段の弾発力を解除させて上記支持台の移動を可能にする操作手段を設け、上記操作手段として、上記弾発手段によって支持台側の固定面に接触子を押し付けて上記支持台を固定する位置と、上記弾発手段を解放させて上記接触子を固定面から解除する位置に切り替える切換え装置を設けたことにある。
【０００８】
【発明の実施の形態】
以下、本発明の実施の一形態を図１〜図８に基づいて説明する。
なお、前記した従来のものと同一の部位については図中同一の符号を付して示し、重複する説明は省略する。
図１は印刷中の使用状態を示し、図２は使用状態の固定装置を示す。図３はインキ溜２を清掃用に開放した状態を示し、図４は開放状態の固定装置を示す。図５ないし図８は固定装置の詳細を示す。
【０００９】
図１ないし図８において、１はインキを供給するインキ元ローラ１で、このインキ元ローラ１には、インキ溜２が隣接して配設されている。このインキ溜２には、インキ元ローラ１との隙間を調節することにより供給するインキの厚みを調節するインキ厚み調整機構としてのインキキー３が設けられており、このインキキー３は、インキを供給する幅に複数個設けられている。
１１は側板で、複数のインキキー３列の両端に接し、先端をインキ元ローラ１に最小隙間で接するように配設されており、上記インキキー３群とインキ元ローラ１とでインキをためるインキ溜２を構成する。
【００１０】
４は上記インキキー３を支持する為の支持台で、この支持台４の両側端にはアーム１２が設けられており、このアーム１２の先端部が、図示しないフレームに固定されている横梁５にピン７を介して支持されている。支持台４はピン７を中心に回動できるように構成されており、支持台４の当たり面１３（下面）は、固定位置としての横梁５の当たり面（上面）にあたって位置が決められている。
インキ溜２の使用状態・開放状態で移動するインキキー３、側板１１、等を支持している支持台４の側面には、座板２９が設けられており、この座板２９の後部背面には、曲面凹部３１が設けられ、かつ上面には、円筒状のストッパ穴３３が設けられている。
【００１１】
次にインキ溜２を固定する固定方法を図５および図６によって説明する。
インキ溜２を支持する支持台４を固定する固定用軸２１は、一端を、固定位置の横梁５に設置されている軸としてのピン１５によって軸支されており、このピン１５を中心に回動可能に構成されている。固定用軸２１のもう一方の端部には、ねじが加工されてねじ部２１ａが設けられている。上記固定用軸２１のねじ部２１ａに固定ナット２３を螺合して、この固定ナット２３の位置調節により下部側に配設された弾発手段としての皿ばね２２を圧縮する。圧縮ばねである上記皿ばね２２の下部に、止板３４及びレバー２７にピン２４を挿入した状態でのピン２４の孔２４ａに固定用軸２１を通している。
【００１２】
上記レバー２７は二股に分かれており、股の中央には、上記した止板３４及び固定用軸２１等が入る。レバー２７の二股に分かれていない側には、ストッパ用孔２７ａが設けられており、このストッパ用孔２７ａには、ストッパ３２が摺動自在に嵌まり合っている。このストッパ３２の一端部は上記座板２９の円筒状のストッパ穴３３に挿脱自在に嵌まり合い、固定装置（固定手段）３０が移動しないようストッパとなっている。ストッパ３２の他端部には、ハンドル２８が固設され、レバー２７のストッパ用孔２７ａをガイドにしてスライドできるようになっている。
ハンドル２８を手で握り、持ち上げるとストッパ３２の先端部はストッパ穴３３から外れ、離すとストッパ３２の自重で落下しストッパ穴３３に入るようになっている。レバー２７はピン２４を中心に回動できる。レバー２７の二股にわかれている部分のピン２４の下部には、ピン２５を設け、該ピン２５に、接触子としての、ころ２６を回転自在に設置する。
圧縮された皿ばね２２の力は、止板３４を経由してピン２４に伝えられ、ピン２４からレバー２７、ころ２６に伝わり、ピン１５の方向へ押圧できる。図５の状態では  ころ２６が座板２９の曲面凹部３１をピン１５の方向へ押圧する。
【００１３】
図１または図５は、インキ溜２の使用状態での固定装置３０が固定状態にあり、この時の作用状態を説明する。
固定用軸２１に螺合している固定ナット２３で調節された皿ばね２２のばね力は、止板３４を経由してピン２４をピン１５の方向に押すよう作用する。ピン２４はレバー２７と一体的に移動するので、上記ばね力は、レバー２７に固設しているピン２５に軸支されている上記ころ２６に伝わり、該ころ２６を介して座板２９の曲面凹部３１に伝わる。かくして、座板２９はピン１５の方向へ皿ばね２２の力で押し付けられ、座板２９を固定している。上述のように支持台４に固設した座板２９がピン１５の方向（即ち横梁５の方向）へ押し付けられるので、支持台４の当たり面１３は横梁５に押し付けられる。上記押し付け力は、上記皿ばね２２の力で押し付けられているので、力のばらつきは少なく、安定した力となり、当たり面１３と横梁５の接触圧が安定し、支持台４の設定位置が安定する。
【００１４】
次にこの状態から図３の開放状態にする操作手順を説明する。
操作手段としてのハンドル２８を図５のＡ方向へ手で少し持ち上げると、ストッパ３２の先端が座板２９の穴３３から外れ、固定装置３０が操作可能になる。更に、ハンドル２８を図５のＢ方向へ引くと、レバー２７がピン２４を中心にしてＢ方向へ回動する。すると、ころ２６は座板２９の曲面凹部３１の図５のＣ部を乗り越えて図７の状態になる。このＣ部を乗り越える時、上記ころ２６は、ピン２４を経由して皿ばね２２を圧縮し、Ｄ方向に押し上げる。図７の状態で、ばね式ロック装置なので、軽く、固定用軸２１とレバー２７の相対位置が保持され、ハンドル２８をＥ方向に移動させると図８の状態になり、インキ溜２がピン７を中心に回動し、図３の清掃状態に移動させることができる。
【００１５】
インキ溜２の清掃が終われば、図示しないインキ溜２の移動装置で操作し、図１の状態に戻す。
次に、ハンドル２８を図８から図７さらに図５の状態に、上述と逆に操作し、ころ２６が座板２９の曲面凹部３１に作用するようにすればよい。
上述したようにレバー２７は、ばね力を座板２９の曲面凹部３１に「作用させる・作用させない」の切換え装置となっている。
【００１６】
以上のように、上記構成によれば、インキ溜２の固定状態、開放状態にする固定装置３０の操作は特別の工具が不要であるばかりでなく、固定する力が一定で安定しており、固定状態の位置安定性が増す。
従って  工具不要により作業能率が上がり、準備時間の短縮となり、生産性があがる  のに加え、固定当たり面の力のかけかたが安定しているので、インキ調節の絶対ゼロ位置が変動しにくく、数値制御を行っているインキキー３によるインキ量の調節が安定し、印刷品質の向上につながる。
【００１７】
なお、本発明は、上記実施の形態に限定されるものではなく、例えば、弾発手段には、皿ばねの他にコイルばね、あるいは板ばね等種々の弾発手段を用いることができる。また、インキ溜の固定手段としては、弾発手段を利用するものであれば種々の構造のものを用いることができる。等、その他、本発明の要旨を変更しない範囲内で適宜変更して用いることができるのは言うまでもない。
【００１８】
【発明の効果】
以上述べたように、本発明によるインキ溜固定装置によれば以下のような効果を奏する。
印刷機のインキ供給装置におけるインキ元ローラにインキを供給するインキ溜を設定位置に固定するインキ溜固定装置において、上記インキ元ローラとともにインキ溜を形成する両端に側板を設けたインキキー列を、フレームに対して回動するように支持された支持台に支持させ、該支持台を回動させて、上記インキキー列を上記インキ元ローラに接して上記インキ溜を形成する固定位置と、上記インキ元ローラから離れた位置とに移動可能に構成し、上記フレーム側に一端を軸支された固定用軸を上記支持台に設け、上記固定用軸に弾発手段および、この弾発手段の圧縮量を調整する調整手段を設け、上記弾発手段の弾発力によって上記支持台をフレーム側に固定し、上記弾発手段の弾発力を解除させて上記支持台の移動を可能にする操作手段を設け、上記操作手段として、上記弾発手段によって支持台側の固定面に接触子を押し付けて上記支持台を固定する位置と、上記弾発手段を解放させて上記接触子を固定面から解除する位置に切り替える切換え装置を設けたので、インキ溜の固定状態、開放状態にする固定装置の操作は特別の工具が不要であるばかりでなく、固定する力が一定で安定しており、固定状態の位置安定性が増す。
従って、工具不要により作業能率が上がり、準備時間の短縮となり、生産性があがるのに加え、固定側の当たり面への力のかけかたが安定しているので、インキ調節の絶対ゼロ位置が変動しにくく、数値制御を行っているインキキーによるインキ量の調節が安定し、印刷品質の向上につながる。
さらに、本発明は、上記操作手段として、上記弾発手段によって支持台側の固定面に接触子を押し付けて上記支持台を固定する位置と、上記弾発手段を解放させて上記接触子を固定面から解除する位置に切り替える切換え装置を設けたので、インキ溜の固定状態、開放状態にする操作が容易である。
また本発明は、上記支持台の両側にアームを設け、このアームの先端部をフレームに固定された梁に回動可能に支持させ、上記支持台の下面を梁の上面に当てて位置決めするとともに、上記支持台を固定する上記固定用軸の一端を上記梁に軸支し、上記固定用軸のもう一方の端部にねじ部を設け、該ねじ部に螺合した固定ナットの位置を調節して上記ナットと上記切換え装置との間に介在した弾発手段の圧縮量を調整するようにしたので、力のばらつきは少なく安定した力となる。
さらに本発明は、上記切換え装置としてレバーに上記固定用軸を挿通して設け、該レバーに接触子としてのころを設け、該ころを上記弾発手段によって上記支持台に設けられた座板の曲面凹部に押圧して上記支持台を固定したので、支持台の設定位置が安定する。
【図面の簡単な説明】
【図１】図１は本発明の一実施の形態に係る印刷使用状態のインキ溜固定装置を示す概念図である。
【図２】図１のインキ溜固定装置の使用状態の固定装置を示す概念図である。
【図３】図１の実施の形態に係るインキ溜の清掃等の為の開放状態構成図である。
【図４】図１の実施の形態に係るインキ溜の清掃等の為の開放状態の固定装置を示す概念図である。
【図５】図２の固定装置を拡大して示す概念図である。
【図６】図５のＸ−Ｘ線断面図である。
【図７】図５の位置からインキ溜を清掃等の為に開放状態にするときの固定装置を示す概念図である。
【図８】インキ溜を図４の清掃状態にしたときの固定装置を示す概念図である。
【図９】従来のインキ溜固定装置を示す概念図である。
【図１０】図９のＹ−Ｙ線断面図である。
【図１１】図１０のＺ−Ｚ線断面図である。
【符号の説明】
１  インキ元ローラ
２  インキ溜
３  インキキー（インキ厚み調整機構）
４  支持台
５  横梁
６  受金
７  ピン
１１  側板
１２  アーム
１３  当たり面
１４  座板
１５  ピン
１６  ねじ軸
１７  ナット
１８  Ｕ字溝
１９  ハンドル部
２０  六角部
２１  固定用軸
２２  皿ばね（弾発手段）
２３  固定ナット  （調整手段）
２４  ピン
２５  ピン
２６  ころ      （接触子）
２７  レバー  （切替え装置）
２８  ハンドル
２９  座板
３０  固定装置
３１  凹部
３２  ストッパ
３３    穴
３４    止板
【図１】
0003631916.tif 000002
【図２】
0003631916.tif 000003
【図３】
0003631916.tif 000004
【図４】
0003631916.tif 000005
【図５】
0003631916.tif 000006
【図６】
0003631916.tif 000007
【図７】
0003631916.tif 000008
【図８】
0003631916.tif 000009
【図９】
0003631916.tif 000010
【図１０】
0003631916.tif 000011
【図１１】
0003631916.tif 000012